(57)【要約】【課題】  低コストで水の回収効率も向上させながら舗装表面の洗浄やはつりを行うことができると共に、貯液部内の液体中で安定したキャビテーションを発生させることができる舗装表面の処理装置を提供する。【解決手段】  複数の噴射ノズル１７ｂの周囲を囲繞して内部に水を溜める貯液部Ｔ１が設けられている。この貯液部Ｔ１の貯留容積は、噴射ノズル１７ｂから噴射される圧力水のみで水が溜まり、しかも安定したキャビテーションが発生可能な最小限の容積としている。この貯液部Ｔ１内に、高真空の吸引を行う高真空吸引ダクト５３が配置されている。また、貯液部Ｔ１の幅方向の外側に隣接して漏れ水吸引ダクト５４が配置されている。【選択図】      図３
2005299117.tif 000002
【特許請求の範囲】
【請求項１】
舗装表面に向けて圧力水を噴射して舗装表面を処理する噴射手段の周囲を囲繞しながら内部に液体を貯留する貯液部を舗装表面上に形成するとともに、前記貯液部の液体中で前記噴射手段から噴射される圧力水によりキャビテーションの発生を可能とした舗装表面の処理装置において、
前記貯液部の側壁と路面との隙間から漏れた水を吸引する、前記貯液部の外に隣接して設けられた漏れ水吸引手段を有することを特徴とする舗装表面の処理装置。
【請求項２】
前記貯液部内の気圧を外部の気圧より低くする空気吸引手段を設けたことを特徴とする請求項１記載の舗装表面の処理装置。
【請求項３】
前記貯液部の貯留容積を、前記噴射手段から噴射する圧力水のみで内部に水が溜まり、しかも安定したキャビテーションが発生可能な最小限の貯留容積としたことを特徴とする請求項１又は２に記載の舗装表面の処理装置。
【請求項４】
前記舗装表面の処理が該舗装表面の洗浄又ははつりであることを特徴とする請求項１乃至３の何れかに記載の舗装表面の処理装置。
【請求項５】
複数の走行ロールを備えて舗装表面上を移動しながら該舗装表面を洗浄する舗装表面の機能回復車であって、
進路方向の最も前方位置に予備洗浄部を配置し、この予備洗浄部の後方位置にキャビテーション発生部を配置し、このキャビテーション発生部の後方位置に洗浄水吸収部を配置し、この洗浄水吸収部の後方位置に仕上げ洗浄部を配置し、
前記予備洗浄部及び前記仕上げ洗浄部は、前記舗装表面に向けて圧力水を噴射して舗装表面を洗浄する噴射手段と、前記舗装表面上の水を吸引する吸引手段を備えているとともに、それぞれ圧力水が噴射する位置と水を吸引する位置が前記舗装表面に対して略密閉空間としており、
前記洗浄水吸収部は、前記舗装表面上の水を吸引する吸引手段を備えているとともに、水を吸引する位置が前記舗装表面に対して略密閉空間としており、
前記キャビテーション発生部は、舗装表面に向けて圧力水を噴射して舗装表面を処理する噴射手段の周囲を囲繞しながら内部に液体を貯留する貯液部を前記舗装表面上に形成し、前記貯液部の液体中で前記噴射手段から噴射される圧力水によりキャビテーションの発生を可能としているとともに、前記貯液部を車幅方向に長い下部が開口した箱型形状とし、前記貯液部の側壁の車幅方向の外側に、前記貯液部の側壁と路面との隙間から漏れた水を吸引する漏れ水吸引手段を設けたことを特徴とする舗装表面の機能回復車。
【請求項６】
前記キャビテーション発生部に、前記貯液部内の気圧を外部の気圧より低くする空気吸引手段を設けたことを特徴とする請求項５記載の舗装表面の機能回復車。
【請求項７】
前記貯液部の貯留容積を、前記噴射手段から噴射する圧力水のみで内部に水が溜まり、しかも安定したキャビテーションが発生可能な最小限の貯留容積としたことを特徴とする請求項５又は６に記載の舗装表面の機能回復車。
【発明の詳細な説明】
【技術分野】
【０００１】
本発明は、例えば排水性舗装の空隙に詰まった土砂や粉塵等の除去洗浄作業、排水性舗装の敷き直しを行う際の表層のはつり作業等を行う舗装表面の処理装置と、複数の走行ロールを備えて舗装表面上を移動しながら該舗装表面を洗浄する舗装表面の機能回復車に関する。
【背景技術】
【０００２】
まず、図６を参照して排水性舗装について説明すると、排水性舗装ａとは、路床ｂの上に路盤ｃ、基層ｄ及び通水可能な空隙ｅを有する表層ｆを順次敷設して形成された舗装をいい、降雨時に表層ｆの空隙ｅに流入した雨水を図示しない側溝に導いて排水することにより、スモーキング現象やハイドロプレーニング現象等の走行安全性を阻害する要因を減らす機能を持つ。また、表層ｆの空隙ｅが吸音能力を有することから、車両走行時のタイヤの騒音を小さくする機能も併せ持つ。尚、排水性舗装の基層ｄ部分は、路盤ｃの保護のために非通水性とされている。
【０００３】
ところで、かかる排水性舗装ａにおいては、車両の走行や風等の影響によって表層ｆの空隙ｅに土砂や粉塵等が詰まってしまい、上述した優れた諸機能が比較的短期間で低下してしまうため、従来においては、噴射ノズル等から舗装表面に向けて圧力水を噴射し、該圧力水の吹き付け圧により舗装ａの空隙ｅの目詰まり物を遊離させて遊離した目詰まり物を水と共に吸引除去して舗装表面を洗浄し、これにより、該表面の機能を回復させるようにしている。
【０００４】
また、土砂や粉塵等の目詰まりの程度がひどい場合には、洗浄による機能回復が難しくなるため、路面切削機により表層（骨材をアスファルトで結合したもの）を削り取り、新しい材料で表層の敷き直しを行うようにしている。更に、橋等の路面の増厚工事のためのコンクリート路面のはつり作業や空港滑走路の路面に付着したタイヤゴム等の除去作業においては、噴射ノズル等から舗装表面に向けて超高圧水を噴射してその衝撃力により表層ｆの上層部分のみのはつりを行うようにしている。
【０００５】
しかしながら、上述した圧力水の噴射による舗装表面の機能回復方法においては、単に噴射ノズル等から舗装表面に向けて圧力水を噴射するだけであるため、舗装の空隙の目詰まり物の除去効果を十分に得られず、また、路面切削機による表層の削り取りに際しては、超硬チップにより表層の破砕及び削り取りを行うので、骨材（石）割れが生じて削り取り後の表層材を再利用できないという問題がある。
【０００６】
そこで、このような問題を解消するために、例えば特許文献１に示すように、舗装表面上に貯液部を形成してこの貯液部の液体中で噴射ノズルから舗装表面に向けて圧力水を噴射することによりキャビテーションを発生させ、このキャビテーションの衝撃力により舗装の空隙の目詰まり物を遊離させて遊離した目詰まり物を水と共に吸引除去して舗装表面の洗浄を行ったり、舗装表面のはつりを行うようにした、走行ロールを備えて走行自在な舗装表面の処理装置が提案されている。この装置で舗装表面の洗浄を行う際には、吸引回収した目詰り物と水は分離され、水は再び洗浄水として再利用されている。
【特許文献１】特開２００３−１２９４１５号公報
【発明の開示】
【発明が解決しようとする課題】
【０００７】
しかし、上記従来の舗装表面の処理装置は、貯液部と路面との隙間から漏れ出た水を回収する機構を備えていない。そのため、漏れ水が外部に流れ出てしまうので、水の回収効率の面で問題がある。そこで、従来の装置は水タンクを備え、流れ出た水の量だけ水タンクから追加供給するようにしているが、流れ出る水の量が多いと短時間で水がタンク内から無くなってしまい、作業を続行することができなくなる場合がある。
【０００８】
また、従来の装置の貯液部は、進行方向の前後方向に配置した一対の走行ロールと、これら走行ロールのロール端面の左右に配置したサイドカバー等によって内部に水の貯留を可能にする貯液部を形成しているが、走行時に、走行ロールの回転によって貯液部内の液面が暴れると、この液面の上の空気を液体中に巻き込んで安定したキャビテーションの発生を阻害するおそれがある。
【０００９】
また、従来装置は貯液部の容積が大きく、貯液部内の水の確保、後処理及び液面形成時間の面で効率が悪くなるとともに、コスト面で問題がある。
本発明はこのような不都合を解消するためになされたものであり、低コストで水の回収効率も向上させながら舗装表面の洗浄やはつりを行うことができると共に、貯液部内の液体中で安定したキャビテーションを発生させることができる舗装表面の処理装置及び舗装表面の機能回復車を提供することを目的とする。
【課題を解決するための手段】
【００１０】
前記課題を解決するため、本発明の請求項１記載の舗装表面の処理装置は、舗装表面に向けて圧力水を噴射して舗装表面を処理する噴射手段の周囲を囲繞しながら内部に液体を貯留する貯液部を舗装表面上に形成するとともに、前記貯液部の液体中で前記噴射手段から噴射される圧力水によりキャビテーションの発生を可能とした舗装表面の処理装置において、前記貯液部の側壁と路面との隙間から漏れた水を吸引する、前記貯液部の外に隣接して設けられた漏れ水吸引手段を有している。
【００１１】
また、請求項２記載の発明は、請求項１記載の舗装表面の処理装置において、前記貯液部内の気圧を外部の気圧より低くする空気吸引手段を設けた。
また、請求項３記載の発明は、請求項１又は２に記載の舗装表面の処理装置において、前記貯液部の貯留容積を、前記噴射手段から噴射する圧力水のみで内部に水が溜まり、しかも安定したキャビテーションが発生可能な最小限の貯留容積とした。
また、請求項４記載の発明は、請求項１乃至３の何れかに記載の舗装表面の処理装置において、前記舗装表面の処理が該舗装表面の洗浄又ははつりである。
【００１２】
一方、請求項５記載の舗装表面の機能回復車は、複数の走行ロールを備えて舗装表面上を移動しながら該舗装表面を洗浄する舗装表面の機能回復車であって、進路方向の最も前方位置に予備洗浄部を配置し、この予備洗浄部の後方位置にキャビテーション発生部を配置し、このキャビテーション発生部の後方位置に洗浄水吸収部を配置し、この洗浄水吸収部の後方位置に仕上げ洗浄部を配置し、前記予備洗浄部及び前記仕上げ洗浄部は、前記舗装表面に向けて圧力水を噴射して舗装表面を洗浄する噴射手段と、前記舗装表面上の水を吸引する吸引手段を備えているとともに、それぞれ圧力水が噴射する位置と水を吸引する位置が前記舗装表面に対して略密閉空間としており、前記洗浄水吸収部は、前記舗装表面上の水を吸引する吸引手段を備えているとともに、水を吸引する位置が前記舗装表面に対して略密閉空間としており、前記キャビテーション発生部は、舗装表面に向けて圧力水を噴射して舗装表面を処理する噴射手段の周囲を囲繞しながら内部に液体を貯留する貯液部を前記舗装表面上に形成し、前記貯液部の液体中で前記噴射手段から噴射される圧力水によりキャビテーションの発生を可能としているとともに、前記貯液部を車幅方向に長い下部が開口した箱型形状とし、前記貯液部の側壁の車幅方向の外側に、前記貯液部の側壁と路面との隙間から漏れた水を吸引する漏れ水吸引手段を設けた。
【００１３】
また、請求項６記載の発明は、請求項５記載の舗装表面の機能回復車において、前記キャビテーション発生部に、前記貯液部内の気圧を外部の気圧より低くする空気吸引手段を設けた。
さらに、請求項７記載の発明は、請求項５又は６に記載の舗装表面の機能回復車において、前記貯液部の貯留容積を、前記噴射手段から噴射する圧力水のみで内部に水が溜まり、しかも安定したキャビテーションが発生可能な最小限の貯留容積とした。
【発明の効果】
【００１４】
請求項１記載の舗装表面の処理装置によると、貯液部の側壁と路面との隙間から漏れた水を吸引する、貯液部の外に隣接して設けられた漏れ水吸引手段を有するようにしたので、舗装表面の洗浄やはつりを行う際の水の回収効率を向上させることができる。
また、請求項２記載の舗装表面の処理装置によると、貯液部内の気圧を外部の気圧より低くする空気吸引手段を設けたので、貯液部から水が外部に漏れにくくなり、水の回収効率をさらに向上させることができる。
また、請求項３記載の舗装表面の処理装置によると、貯液部の貯留容積を最小限とすることで、貯液部の水の確保、後処理及び液面形成時間の面で効率を良くすることができる。
【００１５】
また、請求項５記載の舗装表面の機能回復車によると、高能率の洗浄作業を行うことができる。また、貯液部を箱型形状としているので、走行ロールを貯液部を形成する要素とした従来装置と比較しても貯液部内の液面が暴れる要素が存在せず、非常に安定したキャビテーションが発生するので舗装表面ｈ内の目詰まり物の除去効果を格段に向上させることができる。さらに、キャビテーション発生部の貯液部の側壁の車幅方向の外側に漏れ水吸引手段を配置し、貯液部に対して進路方向の前方位置に予備洗浄部の吸引手段を配置し、貯液部に対して進路方向の後方位置に洗浄水吸収部の吸引手段を配置しているので、貯液部からの漏れ水の回収効率がさらに向上する。
【００１６】
また、請求項６記載の舗装表面の処理装置によると、キャビテーション発生部の貯液部内は負圧状態となるので貯液部から水が外部に漏れにくくなり、漏れ水の回収効率をさらに向上させることができる。
さらに、請求項７記載の舗装表面の処理装置によると、キャビテーション発生部の貯液部の貯留容積を最小限とすることで、貯液部の水の確保、後処理及び液面形成時間の面で効率を良くすることができる。
【発明を実施するための最良の形態】
【００１７】
以下、本発明の実施の形態を図を参照して説明する。図１は本発明の１実施形態である舗装表面を洗浄する機能回復車を説明するための説明的断面図、図２は図１の矢印II方向から見た図、図３は図１のIII−III線断面図、図４は漏れ水吸引ダクトの構造を示す図、図５は図４のV−V線断面図である。
この舗装表面の処理装置は、図６に示す舗装ａの空隙ｅの目詰まり物を除去して舗装表面を洗浄する装置であり、例えばトラック等の牽引車両に可動アームを介して取り付けられる外箱１０を備えている。外箱１０は、車両の進行方向の前後の側板１１ａ，１１ｂと側板１１ａ，１１ｂの両端部を連結する左右の端板１２ａ，１２ｂとによって車両の幅方向に長い略直方体状をなして下部が開口している。後ろ側の側板１１ｂ及び端板１２ａ，１２ｂの下部長手方向にはシールラバー５２ａ，５２ｂ，５２ｃが固定されており、これらシールラバー５２ａ，５２ｂ，５２ｃの下端は舗装表面ｈに接触している。
【００１８】
左右の端板１２ａ，１２ｂには、車両の進行方向の前方に配置された走行ロール１３及び進行方向の後方に互いに離間配置された走行ロール２１ａ，２１ｂの各両端ロール軸が支持されている。各走行ロール１３，２１ａ，２１ｂの外周部には、それぞれゴム等の弾性体が被覆されている。外箱１０内には、外箱１０の長手方向（車両の幅方向）に沿って延びる通水管１５ａ，１５ｂ，１５ｃが車両の進行方向に互いに離間して配置されている。
【００１９】
外箱１０の進行方向の中央に位置する通水管１５ｂは、給水管５０に接続しながら走行ロール１３と走行ロール２１ａとの間の上方に配置された天板２６にブラケット２７を介して固定されている。この通水管１５ｂに、舗装表面ｈに向けて高圧水を噴射する複数の噴射ノズル１７ｂが、噴射口を略鉛直方向に向けた状態で通水管１５ｂの軸方向に略等間隔で取り付けられている。通水管１５ａの上側部には制止板５１が取り付けられている。
【００２０】
ここで、本実施形態では、複数の噴射ノズル１７ｂの周囲を囲繞して内部に水を溜める貯液部Ｔ１が設けられている。この貯液部Ｔ１は幅方向に長い直方体形状をなして下部が開口しており、その貯留容積は、噴射ノズル１７ｂから噴射される圧力水のみで水が溜まり、しかも安定したキャビテーションが発生可能な最小限の容積としており、通水管１５ｂに対して進行方向側の近くで天板２６に固定した貯液部側板１８ａ，１８ｂと、貯液部側板１８ａ，１８ｂの両端側に連結し端板１２ａ，１２ｂとの間に空間を設けながら天板２６に固定した左右の貯液部端板１８ｃ，１８ｄと、貯液部側板１８ａ，１８ｂ及び貯液部端板１８ｃ，１８ｄの下部長手方向に固定されて舗装表面ｈに接触しているシールラバー５２ｄ，５２ｅ，５２ｆ，５２ｇとで画成されている。
【００２１】
貯液部Ｔ１内の幅方向縁部には制止板５１より僅かに高い位置をダクト下端位置となるように天板５１に固定され、貯液部Ｔ１内の空気を減圧するために高真空の吸引を行う一対の高真空吸引ダクト５３が配置されている。高真空吸引ダクト５３は、貯液部Ｔ１の液面に接すると水を吸引して、貯液部Ｔ１内の液面を一定に保つ働きもある。ここで、前記制止板５１は、特開２００３−１２９４１５号公報記載の「制止板」を意味する。
【００２２】
貯液部Ｔ１の幅方向の外側には、端板１２ａと貯液部端板１８ｃとの間に設けた空間と、端板１２ｂと貯液部端板１８との間に設けた空間にそれぞれ漏れ水吸引ダクト５４が配置されている。漏れ水吸引ダクト５４は、図４及び図５に示すように、短尺方向の寸法に対して長尺方向の寸法が少なくとも４倍以上長い矩形状に開口した吸引口５４ａを備えているとともに、この吸引口５４ａからダクト基端側５４ｂの略正方形状としたダクト空間に向かうに従い、長尺方向の寸法が徐々に小さくなり、短尺方向の寸法が徐々に大きくなっている略ラッパ形状のダクトであり、吸引口５４ａの長尺方向が進行方向に沿うように配置されている。
【００２３】
また、外箱１０の進行方向の前方に配置した通水管１５ａの下側部には、舗装表面ｈに向けて斜め後方に高圧水を噴射する複数の噴射ノズル１７ａが通水管１５ｂの軸方向に略等間隔で設けられている。噴射ノズル１７ａと走行ロール１３との間には吸引ダクト１９Ａが外箱１０の長手方向に沿って配置されている。この吸引ダクト１９Ａは、斜め前方に延びて先端吸引口１９Ａａが舗装表面ｈに向けて下方を向き、吸引位置が噴射ノズル１７ａの噴射方向と交差するように配置されている。また、噴射ノズル１７ａの下方と吸引ダクト１９Ａの外周との間には噴射カバー５５が配置されており、この噴射カバー５５には、噴射ノズル１７ａから噴射された高圧水が通過する通過孔５５ａが噴射ノズル１７ａの数に対応して形成されている。そして、舗装表面ｈに対する噴射ノズル１７ａの噴射位置と吸引ダクト１９Ａの吸引位置を外箱１０の進行方向の前後から囲むように、噴射ノズル１７ａの下方に配置したブラケット５６と、吸引ダクト１９Ａに沿って延在している天板２６の端部にシールラバー５２ｈ，５２ｉが外箱１０の幅方向に延在して固定され、舗装表面ｈに接触している。これらシールラバー５２ｈ，５２ｉと、端板１２ａ，１２ｂの下部長手方向に固定したシールラバー５２ｂ，５２ｃとで、噴射ノズル１７ａの噴射位置及び吸引ダクト１９Ａの吸引位置を略密閉空間Ｔ２としている。
【００２４】
また、外箱１０の進路方向の後方に配置した通水管１５ｃの下側部には、舗装表面ｈに向けて斜め前方に高圧水を噴射する複数の噴射ノズル１７ｃが通水管１５ｃの軸方向に略等間隔で設けられている。噴射ノズル１７ｃと走行ロール２１ｂとの間には吸引ダクト１９Ｂが外箱１０の長手方向に沿って配置されている。この吸引ダクト１９Ｂは、斜め後方に延びて先端吸引口１９Ｂａが舗装表面ｈに向けて下方を向き、吸引位置が噴射ノズル１７ｃの噴射方向と交差するように配置されている。また、噴射ノズル１７ｃの下方と吸引ダクト１９Ｂの外周との間には噴射カバー５７が配置されており、この噴射カバー５７には、噴射ノズル１７ｃから噴射された高圧水が通過する通過孔５７ａが噴射ノズル１７ｃの数に対応して形成されている。そして、舗装表面ｈに対する噴射ノズル１７ｃの噴射位置と吸引ダクト１９Ｂの吸引位置を外箱１０の進行方向の前後から囲むように、噴射ノズル１７ｃの下方に配置したブラケット５８と、吸引ダクト１９Ｂに沿って延在している天板２６の端部にシールラバー５２ｊ，５２ｋが固定され、舗装表面ｈに接触している。これらシールラバー５２ｊ，５２ｋと、端板１２ａ，１２ｂの下部長手方向に固定したシールラバー５２ｂ，５２ｃとで、噴射ノズル１７ｃの噴射位置及び吸引ダクト１９Ｂの吸引位置を略密閉空間Ｔ３としている。
【００２５】
さらに、天板２６の走行ロール２１ａと走行ロール２１ｂとの間に位置する部分には、外箱１０の長手方向に沿って配置された高真空の吸引ダクト２０が挿入されている。吸引ダクト２０は鉛直方向に延びてその先端が吸引口２０ａとされている。吸引ダクト２０の前側壁は走行ロール２１ａの外周部の弾性体に接触し、後壁部は走行ロール２１ｂの外周部の弾性体に接触している。そして、吸引ダクト２０の前後側壁と走行ロール２１ａ，２１ｂによって吸引ダクト２０が吸引する位置を略密閉空間Ｔ４としている。
【００２６】
ここで、本実施形態では、貯液部Ｔ１の水は噴射ノズル１７ｂが噴射する高圧水で溜まるようにしており、高真空吸引ダクト５３のダクト下端を制止板５１に対して僅かに高い位置としているので、貯液部Ｔ１内の水の液面は、制止板５１より僅かに高い位置となる。
なお、進路方向の前方に配置した噴射ノズル１７ａ及び吸引ダクト１９Ａが本発明の予備洗浄部に相当し、噴射ノズル１７ｂを配置した貯液部Ｔ１が本発明のキャビテーション発生部に相当し、高真空の吸引ダクト２０が本発明の洗浄水吸収部に相当し、進路方向の後方に配置した噴射ノズル１７ｃ及び吸引ダクト１９Ｂが本発明の仕上げ洗浄部に相当する。
【００２７】
次に、かかる構成の舗装表面の処理装置の動作を説明する。まず、高真空吸引ダクト５３により貯液部Ｔ１内の空気を吸引して該貯液部Ｔ１内を負圧状態にした後、噴射ノズル１７ｂの圧力水の噴射により貯液部Ｔ１内に水を供給し、噴射ノズル１７ｂを水中に配置する。このとき、貯液部Ｔ１の貯留容積は、噴射ノズル１７ｂから噴射される圧力水で安定したキャビテーションが発生可能な最小限の容積としているので、所定の水位までの水の供給が短時間の間で行われる。そして、この状態で、排水性舗装の道路上で装置をトラック等の車両で牽引しつつ、噴射ノズル１７ａ，１７ｂ，１７ｃから高圧水を舗装表面ｈに向けて噴射する。
【００２８】
このとき、進路方向の前方に配置した噴射ノズル１７ａから高圧水が噴射し、吸引ダクト１９Ａの吸引口１９Ａａから吸引力が作用する略密閉空間Ｔ１が洗浄すべき舗装表面ｈを臨む位置まで移動すると、舗装表面ｈ内の空隙に圧力水が浸入し、吸引によって空隙に入り込んでいる土砂や粉塵等の目詰まり物が舗装表面ｈの表層に向けて遊離しやすくなるように予備洗浄が行われる。
【００２９】
次いで、進路方向の中央に配置した噴射ノズル１７ｂから高圧水が噴射する貯液部Ｔ１が予備洗浄を行った舗装表面ｈまで移動してくると、噴射ノズル１７ｂは水中に配置されているため、水中で舗装表面ｈに向けて高圧水が噴射されることにより、貯液部Ｔ１内の水と高圧水との間にキャビテーションが発生し、このキャビテーションの衝撃力により目詰まり物を遊離させて舗装表面ｈの上方に浮き上がらせる。
【００３０】
ここで、この貯液部Ｔ１は、貯液部側板１８ａ，１８ｂ、左右の貯液部端板１８ｃ，１８ｄ等で画成されて貯液部Ｔ１内の液面が暴れる要素が存在しないので、非常に安定したキャビテーションが発生する。また、貯液部Ｔ１内は高真空吸引ダクト５３で負圧状態とされ、しかも、貯液部Ｔ１の幅方向の外側に漏れ水吸引ダクト５４を配置しているので、貯液部Ｔ１内の水が殆ど外部に漏れず、図示しないタンクに水を効率よく回収して、長時間作業を行うことができる。
【００３１】
次いで、略密閉空間Ｔ３が目詰まり物を浮き上がらせた舗装表面ｈまで移動してくると、浮き上がった目詰まり物と水との混合水を高真空の吸引ダクト２０の吸引口２０ａから吸引して除去し、これにより、舗装表面ｈを洗浄する。
次いで、進路方向の後方に配置した噴射ノズル１７ｃから高圧水が噴射し、吸引ダクト１９Ｂの吸引口１９Ｂａから吸引力が作用する略密閉空間Ｔ４が舗装表面ｈを臨む位置まで移動すると、舗装表面ｈの空隙に残っている目詰まり物が、舗装表面ｈの空隙に圧力水が浸入して吸引されることで除去されるように仕上げ洗浄が行われる。
【００３２】
なお、吸引ダクト１９Ａ，１９Ｂ、２０はそれぞれ略密閉空間Ｔ２，Ｔ３，Ｔ４に配置されているので、吸引ダクト１９Ａ，１９Ｂ、２０の吸引作用により各空間Ｔ２，Ｔ３，Ｔ４が負圧状態とされ、これにより、空隙の目詰まり物と水との混合水の舗装表面ｈへの浮き上がりが促進される。
上記の説明から明らかなように、本実施形態の貯液部Ｔ１は、貯液部側板１８ａ，１８ｂ、左右の貯液部端板１８ｃ，１８ｄ等で画成されており、走行ロールを貯液部を形成する要素とした従来装置と比較しても貯液部Ｔ１内の液面が暴れる要素が存在せず、非常に安定したキャビテーションが発生するので舗装表面ｈ内の目詰まり物の除去効果を格段に向上させることができる。
【００３３】
しかも、洗浄すべき舗装表面ｈに対して、噴射ノズル１７ａによる高圧水の噴射と吸引ダクト１９Ａの吸引により予備洗浄を行い、次いで、貯液部Ｔ１内の噴射ノズル１７ｂによる高圧水の噴射によりキャビテーションを発生させ、次いで、吸引ダクト２０により高真空吸引を行い、さらに、噴射ノズル１７ｃによる高圧水の噴射と吸引ダクト１９Ｂの吸引により仕上げ洗浄を行うので、高能率の洗浄作業を行うことができる。
【００３４】
また、貯液部Ｔ１の深さを深くしなくても貯液部Ｔ１内の液面の暴れを抑制することができるとともに、貯液部Ｔ１の貯留容積を噴射ノズル１７ｂから噴射される圧力水のみで水が溜まり、しかも安定したキャビテーションが発生可能な最小限の容積としているので、貯液部Ｔ１内の水の確保、後処理及び液面形成時間の面で効率を良くすることができると共に、コスト低減を図ることができる。
【００３５】
また、貯液部Ｔ１内は高真空吸引ダクト５３で負圧状態とされ、しかも、貯液部Ｔ１の幅方向の外側に漏れ水吸引ダクト５４を配置しているので、貯液部Ｔ１内の水が外部に漏れにくく水の回収効率を向上させることができる。
しかも、貯液部Ｔ１は、幅方向の外側に漏れ水吸引ダクト５４、進行方向の前方位置に吸引ダクト１９Ａ、進行方向の後方位置に吸引ダクト２０，１９Ｂを配置しているので、漏れた水は前述したダクトで確実に回収されるので、さらに水の回収効率を向上させることができる。
なお、本実施形態では舗装表面を洗浄する機能回復車について説明したが、本実施形態の噴射ノズル１７ｂを配置した貯液部Ｔ１を、土砂や粉塵等の目詰まりの程度がひどくて舗装表面ｈの表層の敷き直しを行うためにはつり作業を行う装置に適用しても、同様の効果を奏することができる。
【図面の簡単な説明】
【００３６】
【図１】本発明の１実施形態である舗装表面を洗浄する機能回復車を説明するための説明的断面図である。
【図２】図１の矢印II方向から見た図である。
【図３】図１のIII−III線断面図である。
【図４】本発明に係る漏れ水吸引ダクトの構造を示す図である。
【図５】図４のV−V線断面図である。
【図６】排水性舗装を説明するための概略断面図である。
【符号の説明】
【００３７】
１０  外箱
１３，２１ａ，２１ｂ  走行ロール
１７ａ  噴射ノズル（予備洗浄部の噴射ノズル）
１７ｂ  貯液部の噴射ノズル（キャビテーション発生部の噴射ノズル）
１７ｃ  噴射ノズル（仕上げ洗浄部の噴射ノズル）
１８ａ，１８ｂ  貯液部側板
１８ｃ，１８ｄ  貯液部端板
１９Ａ  吸引ダクト（予備洗浄部の吸引手段）
１９Ｂ  吸引ダクト（仕上げ洗浄部の吸引手段）
２０  吸引ダクト（洗浄水吸収部の吸引手段）
５２ａ〜５２ｇ  シールラバー
５３  高真空吸引ダクト（空気吸引手段）
５４  漏れ水吸引ダクト（漏れ水吸引手段）
ｈ  舗装表面
Ｔ１  貯液部
Ｔ２，Ｔ３，Ｔ４  略密閉空間
【図１】
2005299117.tif 000003
【図２】
2005299117.tif 000004
【図３】
2005299117.tif 000005
【図４】
2005299117.tif 000006
【図５】
2005299117.tif 000007
【図６】
2005299117.tif 000008